(57)【要約】【構成】ケースＣ１およびＣ２の各々は、板状に形成される。ヒンジ機構Ｈ１は、ケースＣ２に対するケースＣ１の姿勢を変更可能に、ケースＣ１とケースＣ２とを連結する。フェリカ回路２８は、ケースＣ１の外側面に埋め込まれる。メインＬＣＤモニタ２２は、ケースＣ１の外側面がケースＣ２の内側面によって覆われる特定姿勢で露出するように、ケースＣ１の内側面に埋め込まれる。ＣＰＵは、フェリカ回路２８の受信感度が不良である旨の報知を、特定姿勢に対応してメインＬＣＤモニタ２２から出力する。【効果】操作性が向上する。【選択図】図３
2008244692.tif 000002
【特許請求の範囲】
【請求項１】
第１ケースおよび第２ケース、
前記第２ケースに対する前記第１ケースの姿勢を変更可能に前記第１ケースと前記第２ケースとを連結する連結手段、
前記第１ケースの一方主面に埋め込まれたアンテナ、
前記第１ケースの一方主面が前記第２ケースの一方主面によって覆われる特定姿勢で露出するように前記第１ケースの他方主面または前記第２ケースの他方主面に埋め込まれる第１表示装置、および
前記アンテナによる通信が不良状態である旨の第１報知を前記特定姿勢に対応して前記第１表示装置から出力する第１出力手段を備える、通信端末。
【請求項２】
前記アンテナを利用した通信処理を実行する通信手段、および
既定条件が満足されたとき前記通信手段を起動する起動手段をさらに備える、請求項１記載の通信端末。
【請求項３】
前記既定条件は、通信起動操作を受け付けたという操作条件、および前記第２ケースに対する前記第１ケースの姿勢が前記特定姿勢であるという姿勢条件を含む、請求項２記載の通信端末。
【請求項４】
前記操作条件および前記姿勢条件のうち前記操作条件のみが満足されたとき前記第１報知を既定期間にわたって前記第１表示装置から出力する第２出力手段をさらに備える、請求項３記載の通信端末。
【請求項５】
前記第２ケースに対する前記第１ケースの姿勢が前記特定姿勢であるか否かを前記起動手段の起動処理に関連して繰り返し判別する判別手段をさらに備え、
前記第１出力手段は前記判別手段の判別結果が否定的な結果から肯定的な結果に更新されたとき出力処理を実行する、請求項２ないし４のいずれかに記載の通信端末。
【請求項６】
前記第１表示装置は前記第１ケースの他方主面に埋め込まれる、請求項１ないし５のいずれかに記載の通信端末。
【請求項７】
前記第１ケースの一方主面に埋め込まれかつ前記第１表示装置との間で相補的にアクティブ状態とされる第２表示装置をさらに備え、
前記アンテナによる通信が良好状態である旨の第２報知を前記特定姿勢と異なる姿勢に対応して前記アクティブ状態の表示装置から出力する第３出力手段をさらに備える、請求項１ないし６のいずれかに記載の通信端末。
【請求項８】
前記連結手段は互いに直交する２軸の各々を基準として前記第１ケースを回転させるヒンジ機構を含む、請求項１ないし７のいずれかに記載の通信端末。
【請求項９】
前記連結手段は互いに平行な２軸の各々を基準として前記第１ケースを回転させるヒンジ機構を含む、請求項１ないし７のいずれかに記載の通信端末。
【請求項１０】
前記連結手段は前記第１ケースを前記第２ケースの上に積層した状態で前記第１ケースをスライドさせるスライド機構を含む、請求項１ないし７のいずれかに記載の通信端末。
【発明の詳細な説明】
【技術分野】
【０００１】
この発明は、通信端末に関し、特にたとえば近距離無線通信用のアンテナを利用して通信を行う、通信端末に関する。
【背景技術】
【０００２】
この種の装置の一例が、特許文献１に開示されている。この背景技術によれば、第１筐体および第２筐体がヒンジによって結合される。第１筐体の外側面には、リーダ・ライタとの間で近距離無線通信を行う主アンテナと、リーダ・ライタからの電波の受信状況を測定する複数の測定用アンテナとが埋め込まれる。また、第２筐体の内側面には、表示装置が埋め込まれる。リーダ・ライタが存在する方向が測定用アンテナによって検出されると、検出された方向を示す矢印が表示装置に表示される。これによって、リーダ・ライタとの良好な通信が可能となる。
【特許文献１】特開２００５−３５４３００号公報［H04B 7/26, G06K 19/07, H01Q 3/26, G01S 3/28］
【発明の開示】
【発明が解決しようとする課題】
【０００３】
背景技術では、アンテナは第１筐体の外側面に埋め込まれ、ヒンジの構造上、アンテナが第２筐体によって覆われることはない。しかし、ヒンジの構造によってはアンテナが第２筐体によって覆われ、これによって近距離無線通信が不可能となる。つまり、ヒンジの構造次第では操作性が低下する。
【０００４】
それゆえに、この発明の主たる目的は、操作性を向上させることができる、通信端末を提供することである。
【課題を解決するための手段】
【０００５】
この発明に従う通信端末(10：実施例で相当する参照符号。以下同じ)は、第１ケース(C1)および第２ケース(C2)、第２ケースに対する第１ケースの姿勢を変更可能に第１ケースと第２ケースとを連結する連結手段(H1, H2, SL1)、第１ケースの一方主面に埋め込まれたアンテナ(28a)、第１ケースの一方主面が第２ケースの一方主面によって覆われる特定姿勢で露出するように第１ケースの他方主面または第２ケースの他方主面に埋め込まれる第１表示装置(22)、およびアンテナによる通信が不良状態である旨の第１報知を特定姿勢に対応して第１表示装置から出力する第１出力手段(S9)を備える。
【０００６】
連結手段は、第２ケースに対する第１ケースの姿勢を変更可能に、第１ケースと第２ケースとを連結する。アンテナは、第１ケースの一方主面に埋め込まれる。第１表示装置は、第１ケースの一方主面が第２ケースの一方主面によって覆われる特定姿勢で露出するように、第１ケースの他方主面または第２ケースの他方主面に埋め込まれる。第１出力手段は、アンテナによる通信が不良状態である旨の第１報知を、特定姿勢に対応して第１表示装置から出力する。
【０００７】
アンテナは第１ケースの一方主面に埋め込まれるため、第１ケースの一方主面が第２ケースの一方主面によって覆われる特定姿勢では、アンテナの受信感度が低下する。一方、第１表示装置は、このような特定姿勢において露出するように、第１ケースの他方主面または第２ケースの他方主面に埋め込まれる。そこで、この発明では、アンテナによる通信が不良状態である旨の第１報知を特定姿勢に対応して第１表示装置から出力するようにしている。これによって、操作性が向上する。
【０００８】
好ましくは、アンテナを利用した通信処理は、通信手段(28)によって実行される。通信手段は、既定条件が満足されたとき、起動手段(S3)によって起動される。
【０００９】
さらに好ましくは、既定条件は、通信起動操作を受け付けたという操作条件、および第２ケースに対する第１ケースの姿勢が特定姿勢であるという姿勢条件を含む。
【００１０】
ある局面では、操作条件および姿勢条件のうち操作条件のみが満足されたとき、第２出力手段(S15, S17, S19, S21, S23, S25)が、第１報知を既定期間にわたって第１表示装置から出力する。
【００１１】
好ましくは、第２ケースに対する第１ケースの姿勢が特定姿勢であるか否かが、起動手段の起動処理に関連して、判別手段(S5)によって繰り返し判別される。第１出力手段は、判別手段の判別結果が否定的な結果から肯定的な結果に更新されたとき、出力処理を実行する。
【００１２】
好ましくは、第１表示装置は、第１ケースの他方主面に埋め込まれる。
【００１３】
好ましくは、第２表示装置(24)が第１ケースの一方主面に埋め込まれ、第１表示装置との間で相補的にアクティブ状態とされる。第２出力手段(S9)は、アンテナによる通信が良好状態である旨の第２報知を特定姿勢と異なる姿勢に対応してアクティブ状態の表示装置から出力する。
【００１４】
好ましい実施例では、連結手段は、互いに直交する２軸(AX1, AX2)の各々を基準として第１ケースを回転させるヒンジ機構(H1)を含む。
【００１５】
他の好ましい実施例では、連結手段は、互いに平行な２軸(AX3, AX4)の各々を基準として第１ケースを回転させるヒンジ機構(H2)を含む。
【００１６】
その他の好ましい実施例では、連結手段は、第１ケースを第２ケースの上に積層した状態で第１ケースをスライドさせるスライド機構(SL1)を含む。
【発明の効果】
【００１７】
この発明によれば、アンテナは第１ケースの一方主面に埋め込まれるため、第１ケースの一方主面が第２ケースの一方主面によって覆われる特定姿勢では、アンテナの受信感度が低下する。一方、第１表示装置は、このような特定姿勢において露出するように、第１ケースの他方主面または第２ケースの他方主面に埋め込まれる。そこで、この発明では、アンテナによる通信が不良状態である旨の第１報知を特定姿勢に対応して第１表示装置から出力するようにしている。これによって、操作性が向上する。
【００１８】
この発明の上述の目的，その他の目的，特徴および利点は、図面を参照して行う以下の実施例の詳細な説明から一層明らかとなろう。
【発明を実施するための最良の形態】
【００１９】
図１を参照して、この実施例の携帯通信端末１０は、キー入力装置３０を含む。キー入力装置３０によって発呼操作が行われると、ＣＰＵ２６は、ＣＤＭＡ方式に対応する無線通信回路１４を制御して発呼信号を出力する。出力された発呼信号は、アンテナ１２から放出され、基地局を含む移動通信網を経て通話相手の電話機に送信される。通話相手が着呼操作を行うと、通話可能状態が確立される。
【００２０】
通話可能状態に移行した後にキー入力装置３０によって通話終了操作が行われると、ＣＰＵ２６は、無線通信回路１４を制御して、通話相手に通話終了信号を送信する。通話終了信号の送信後、ＣＰＵ２６は、通話処理を終了する。先に通話相手から通話終了信号を受信した場合も、ＣＰＵ２６は、通話処理を終了する。また、通話相手によらず、移動通信網から通話終了信号を受信した場合も、ＣＰＵ２６は通話処理を終了する。
【００２１】
システム全体が起動している状態で通話相手からの発呼信号がアンテナ１２によって捉えられると、無線通信回路１４は、着信をＣＰＵ２６に通知する。ＣＰＵ２６は、着信通知に記述された発信元情報をメインＬＣＤモニタ２２またはサブＬＣＤモニタ２４から出力し、図示しない着信通知用のスピーカから着信音を出力する。キー入力装置３０によって着呼操作が行われると、通話可能状態が確立される。
【００２２】
通話可能状態では、次のような処理が実行される。通話相手から送られてきた変調音声信号（高周波信号）は、アンテナ１２によって捉えられる。捉えられた変調音声信号は、無線通信回路１４によって復調処理および復号処理を施される。これによって得られた受話音声信号は、スピーカ１８から出力される。
【００２３】
マイクロフォン１６によって取り込まれた送話音声信号は、無線通信回路１４によって符号化処理および変調処理を施される。これによって生成された変調音声信号は、上述と同様、アンテナ１２を利用して通話相手に送信される。
【００２４】
フェリカ回路２８は、“FeliCa”（登録商標）と呼ばれる非接触ＩＣカード技術に沿って構成された近距離無線通信回路であり、アンテナ２８ａを備える。キー入力装置３０によってフェリカモードが選択された状態でアンテナ２８ａを読み取り端末（図示せず）にかざすことで、料金の精算などのデータのやり取りが行われる。
【００２５】
図２（Ａ）〜図２（Ｂ）および図３（Ａ）〜図３（Ｂ）を参照して、携帯通信端末１０は、各々が板状に形成されたケースＣ１およびＣ２を有する。ケースＣ１およびＣ２の厚みは略同じである。メインＬＣＤモニタ２２は、モニタ画面がケースＣ１の内側面に露出するようにケースＣ１に埋め込まれ、サブＬＣＤモニタ２４は、モニタ画面がケースＣ１の外側面に露出するようにケースＣ１に埋め込まれる。フェリカ回路２８は、ケースＣ１の外側面において良好な受信感度が確保されるように、ケースＣ１に埋め込まれる。キー入力装置３０は、操作キー群がケースＣ２の内側面に露出するように、ケースＣ２に埋め込まれる。
【００２６】
つまり、メインＬＣＤモニタ２２はケースＣ１の内側面に埋め込まれ、サブＬＣＤモニタ２４およびフェリカ回路２８はケースＣ１の外側面に埋め込まれ、そしてキー入力装置３０はケースＣ２の内側面に埋め込まれる。
【００２７】
ケースＣ２の内側面の長さ方向一方端には、回転２軸ヒンジ型のヒンジ機構Ｈ１が形成される。ケースＣ１は、長さ方向一方端の側面においてヒンジ機構Ｈ１と結合され、ケースＣ２の内側面の短辺と平行に延びる軸ＡＸ１の周りを回転するとともに、軸ＡＸ１に直交しかつケースＣ１の内側面に平行に延びる軸ＡＸ２の周りを回転する。ケースＣ１は、ケースＣ２に対して図２（Ａ），図２（Ｂ），図３（Ａ）または図３（Ｂ）に示す姿勢をとることができる。
【００２８】
上述のように、フェリカ回路２８は、ケースＣ１の外側面において良好な受信感度が確保されるように、ケースＣ１に埋め込まれる。したがって、フェリカ回路２８を利用したデータ通信は、ケースＣ１の外側面を読み取り端末にかざすことで実行される。換言すれば、ケースＣ１の内側面を読み取り端末にかざしても、読み取り端末とのデータ通信は実行されない。これは、図２（Ａ），図２（Ｂ）または図３（Ｂ）に示す姿勢では読み取り端末とのデータ通信が可能である一方、図３（Ａ）に示す姿勢では読み取り端末とのデータ通信が不可能であることを意味する。
【００２９】
そこで、この実施例では、フェリカ回路２８を利用したデータ通信が可能であるか否かをケースＣ２に対するケースＣ１の姿勢に基づいて判別し、判別結果に応じて異なる報知をメインＬＣＤモニタ２２およびサブＬＣＤモニタ２４のうちアクティブ状態のＬＣＤモニタから出力するようにしている。
【００３０】
具体的には、図２（Ａ）に示す姿勢では“Felicaは現在使えます”との報知をサブＬＣＤモニタ２４から出力し、図２（Ｂ）に示す姿勢では“Felicaは現在使えます”との報知をメインＬＣＤモニタ２２から出力する。また、図３（Ａ）に示す姿勢では“Felicaは現在使えません”との報知をメインＬＣＤモニタ２２から出力し、図３（Ｂ）に示す姿勢では“Felicaは現在使えます”との報知をサブＬＣＤモニタ２４から出力する。
【００３１】
ＣＰＵ２６は、図４に示すフェリカモード制御タスクを含む複数のタスクを並列的に実行する。なお、これらのタスクに対応する制御プログラムは、フラッシュメモリ２０に記憶される。
【００３２】
ステップＳ１では、キー入力装置３０上でフェリカモード起動操作が行われたか否かを判別する。ここでＹＥＳであればステップＳ３に進み、フェリカ回路２８をオンする。ステップＳ５では、ケースＣ１およびＣ２の相対姿勢が通信可能な姿勢であるか否かを判別する。判別結果は、図２（Ａ），図２（Ｂ）または図３（Ｂ）に示す姿勢に対応してＹＥＳを示し、図３（Ａ）に示す姿勢に対応してＮＯを示す。
【００３３】
ステップＳ５でＹＥＳであればステップＳ７に進み、アンテナ２８ａによる通信が良好状態であること（アンテナ２８ａの受信感度が良好であること）をアクティブ状態のＬＣＤモニタを通して報知する。ステップＳ５でＮＯであればステップＳ９に進み、アンテナ２８ａによる通信が不良状態であること（アンテナ２８ａの受信感度が不良であること）をアクティブ状態のＬＣＤモニタを通して報知する。ステップＳ７またはＳ９の処理が完了すると、フェリカモード停止操作がキー入力装置３０上で行われたか否かをステップＳ１１で判別する。ここでＮＯであればステップＳ５に戻り、ＹＥＳであればステップＳ１３でフェリカ回路２８をオフしてからステップＳ１に戻る。
【００３４】
以上の説明から分かるように、ケースＣ１（第１ケース）およびケースＣ２（第２ケース）の各々は、板状に形成される。ヒンジ機構Ｈ１（連結手段）は、ケースＣ２に対するケースＣ１の姿勢を変更可能に、ケースＣ１とケースＣ２とを連結する。アンテナ２８ａは、ケースＣ１の外側面（一方主面）に埋め込まれる。メインＬＣＤモニタ２２（第１表示装置）は、ケースＣ１の外側面がケースＣ２の内側面（一方主面）によって覆われる特定姿勢で露出するように、ケースＣ１の内側面（他方主面）に埋め込まれる。ＣＰＵ２６は、アンテナ２８ａによる通信が不良状態である旨の報知を、特定姿勢に対応してメインＬＣＤモニタ２２から出力する(S9)。
【００３５】
アンテナ２８ａはケースＣ１の外側面に埋め込まれるため、ケースＣ１の外側面がケースＣ２の内側面によって覆われる特定姿勢では、アンテナ２８ａの受信感度が低下する。一方、メインＬＣＤモニタ２２は、このような特定姿勢において露出するように、ケースＣ１の内側面に埋め込まれる。そこで、この実施例では、アンテナ２８ａによる通信が不良状態である旨の報知を特定姿勢に対応してメインＬＣＤモニタ２２から出力するようにしている。これによって、操作性が向上する。
【００３６】
なお、この実施例では、メインＬＣＤモニタ２２をケースＣ１の内側面に埋め込むようにしているが、メインＬＣＤモニタ２２はケースＣ２の外側面に埋め込むようにしてもよい。また、この実施例では、フェリカモード起動操作に応答してフェリカ回路２８をオンするようにしているが、フェリカ回路を常時オン状態とし、アンテナ２８ａによる通信の良好／不良をアイコンによって報知するようにしてもよい。
【００３７】
また、この実施例では、互いに直交する軸ＡＸ１およびＡＸ２を有するヒンジ機構Ｈ１を採用しているが、これに代えて図５，図６（Ａ）および図６（Ｂ）に示すヒンジ機構Ｈ２を採用したり、図７（Ａ）〜図７（Ｃ）に示すスライド機構ＳＬ１を採用するようにしてもよい。
【００３８】
図５，図６（Ａ）および図６（Ｂ）に示すヒンジ機構Ｈ２では、軸ＡＸ３はケースＣ１の主面を定義する短辺に平行に延び、軸ＡＸ４はケースＣ２の主面を定義する短辺に平行に延びる。軸ＡＸ３およびＡＸ４は、ケースＣ１またはＣ２の厚みに相当する距離を隔てて互いに平行に延びる。したがって、ケースＣ２の主面に対するケースＣ１の主面の角度は、０°〜３６０°の範囲で可変とされる。なお、アンテナ２８ａによる通信が不良状態である旨の報知は、図６（Ｂ）に示す姿勢に対応してメインＬＣＤモニタ２２から出力される。
【００３９】
図７（Ａ）〜図７（Ｃ）に示すスライド機構ＳＬ１では、メインＬＣＤモニタ２２はケースＣ１の上面に埋め込まれ、サブＬＣＤモニタ２４およびフェリカ回路２８はケースＣ１の下面に埋め込まれ、そしてキー入力装置３０はケースＣ２の上面に埋め込まれる。スライド機構ＳＬ１は、ケースＣ１の下面の幅方向両端とケースＣ２の上面の幅方向両端とに設けられる。したがって、ケースＣ１は、ケースＣ２の上に積層された状態でケースＣ２の長さ方向にスライドできる。なお、アンテナ２８ａによる通信が不良状態である旨の報知は、図７（Ａ）に示す姿勢に対応してメインＬＣＤモニタ２２から出力される。
【００４０】
また、上述の実施例では、フェリカモード起動操作が行われるとケースＣ１およびＣ２の相対姿勢に関係なくフェリカ回路２８をオンするようにしているが、フェリカ回路２８はケースＣ１およびＣ２の相対姿勢が通信可能な姿勢にある状態でのフェリカモード起動操作に応答してオンするようにしてもよい。この場合、図８に示すフロー図に従って処理を追加的に実行するのが好ましい。
【００４１】
図８を参照して、ステップＳ１５では、ケースＣ１およびＣ２の相対姿勢が通信可能な姿勢であるか否かを判別する。ここでＹＥＳであればステップＳ１に進む一方、ＮＯであればステップＳ１７に進む。ステップＳ１７ではフェリカモード起動操作が行われたか否かを判別し、ＹＥＳであればステップＳ１９でタイマ（図示せず）を起動する。ステップＳ２１ではタイムアウトが発生したか否か（たとえば５秒が経過したか否か）を判別し、ＮＯであればステップＳ２３に進む一方、ＹＥＳであればステップＳ１５に戻る。ステップＳ２３では、アンテナ２８ａによる通信が不良状態であること（アンテナ２８ａの受信感度が不良であること）をアクティブ状態のＬＣＤモニタを通して報知する。ステップＳ２５ではケースＣ１およびＣ２の相対姿勢が通信可能な姿勢であるか否かを判別し、ＮＯであればステップＳ２１に戻る一方、ＹＥＳであればステップＳ３に進む。なお、ステップＳ１９〜Ｓ２５の処理は、誤ってフェリカモード起動操作が行われたときに通信不能が報知され続ける事態を防止するための処理である。
【図面の簡単な説明】
【００４２】
【図１】この発明の第１実施例の構成を示すブロック図である。
【図２】（Ａ）は或る姿勢をとる第１実施例の外観を示す斜視図であり、（Ｂ）は他の姿勢をとる第１実施例の外観を示す斜視図である。
【図３】（Ａ）はその他の姿勢をとる第１実施例の外観を示す斜視図であり、（Ｂ）はさらにその他の姿勢をとる第１実施例の外観を示す斜視図である。
【図４】第１実施例に適用されるＣＰＵの動作の一部を示すフロー図である。
【図５】或る姿勢をとる第２実施例の外観を示す斜視図である。
【図６】（Ａ）は他の姿勢をとる第２実施例の外観を示す斜視図であり、（Ｂ）はその他の姿勢をとる第２実施例の外観を示す斜視図である。
【図７】（Ａ）は或る姿勢をとる第３実施例の外観を示す斜視図であり、（Ｂ）は他の姿勢をとる第３実施例の外観を示す斜視図であり、（Ｃ）はその他の姿勢をとる第３実施例の外観を示す斜視図である。
【図８】第１実施例に適用されるＣＰＵの動作の変形例の一部を示すフロー図である。
【符号の説明】
【００４３】
１０  …携帯通信端末
２２  …メインＬＣＤモニタ
２４  …サブＬＣＤモニタ
２６  …ＣＰＵ
２８  …フェリカ回路
【図１】
2008244692.tif 000003
【図２】
2008244692.tif 000004
【図３】
2008244692.tif 000005
【図４】
2008244692.tif 000006
【図５】
2008244692.tif 000007
【図６】
2008244692.tif 000008
【図７】
2008244692.tif 000009
【図８】
2008244692.tif 000010